(57)【要約】      （修正有）【課題】手がコネクタ付近の装置に干渉されることなく、操作面で便利な不揮発性メモリを提供する。【解決手段】ケース１の外表面にスライド溝を凹設し、前記スライド溝内にスイッチ１２をスライドさせ、前記回路基板は前記ケース内に固定し、前記回路基板上には１つのシリアルアドバンスド・テクノロジー・アタッチメント規格の接続インターフェイス、制御ユニット及び不揮発性メモリユニットを設け、前記接続インターフェイスは前記ケース外に突出し、前記制御ユニットは前記接続インターフェイスと前記不揮発性メモリユニットと電気的に接続され、ラッチ３の一端は前記接続インターフェイスの外部に固定され、一部が宙に浮いた状態を呈し、連動部材４は前記ケース内に設けられ、前記連動部材の一端は前記スイッチに固定され、他端は選択的に前記ラッチの宙に浮いた部分を押え、以上の設計により、ユーザーがメモリをコネクタから引き抜こうとする際、比較的大きなスペースを有する。【選択図】図８
0003154906.tif 000002
【実用新案登録請求の範囲】
【請求項１】
不揮発性メモリであって、
外表面に第１スライド溝を凹設するケースであって、前記第１スライド溝内にスイッチをスライドさせるものと、
前記ケース内に固定した回路基板であって、前記回路基板は接続インターフェイス、制御ユニット及び不揮発性メモリユニットと電気的に接続され、前記接続インターフェイスはシリアルアドバンスド・テクノロジー・アタッチメント規格で、前記ケースの外部に突出し、前記制御ユニットは前記接続インターフェイス及び前記不揮発性メモリユニットと電気的に接続されるものと、
前記接続インターフェイスの外部に接続され、且つ一部が宙に浮いた状態を呈したラッチと、
前記ケース内に設けた連動部材であって、前記連動部材の一端は前記スイッチに固定され、他端は選択的に前記ラッチの宙に浮いた部位を押えるものと、
を含むことを特徴とする不揮発性メモリ。
【請求項２】
前記第１スライド溝は前記ケースの前端面に凹設され、前記連動部材は基部とシャフトを含み、前記基部は前記スイッチの内側面に固定されて第２スライド溝が設けられ、前記シャフトの一端を前記第２スライド溝内にスライドさせ、前記シャフトの他端は選択的に前記ラッチの宙に浮いた部位を押えることを特徴とする請求項１に記載の不揮発性メモリ。
【請求項３】
前記第１スライド溝は前記ケースの上面に凹設され、前記連動部材はシャフトであって、前記シャフトの一端は前記スイッチの内側面に固定され、前記シャフトの他端は選択的に前記ラッチの宙に浮いた部位を押えることを特徴とする請求項１に記載の不揮発性メモリ。
【請求項４】
前記ラッチの表面には間隔を空けて１対の凸部が設けられることを特徴とする請求項１に記載の不揮発性メモリ。
【考案の詳細な説明】
【技術分野】
【０００１】
本考案は電子データの記憶装置に関し、特に不揮発性メモリに関する。
【背景技術】
【０００２】
ハードディスクは多くの電子装置にとって必要不可欠な記憶装置であり、ハードディスクの回転速度や容量も絶えず加速され向上しているものの、ハードディスクのディスクと主軸が高速回転しているとき、相対的にハードディスクの耐震性が弱体化して、衝撃を受けて故障が起き易い。このため、記憶装置の耐震性を高めるために、不揮発性メモリで従来のハードディスクに代えることを思い付いた人物がいる。
【０００３】
図１に示したのはケース１１ａと回路基板１２ａを含んだ従来の不揮発性メモリ１ａであり、前記回路基板１２ａは前記ケース１１ａの内部に固定され、前記回路基板１２ａはフラッシュメモリ１２１ａ、制御チップ１２２ａ及び接続インターフェイス１２３ａと電気的に接続され、前記接続インターフェイス１２３ａはシリアルアドバンスド・テクノロジー・アタッチメント（Ｓｅｒｉａｌ  Ａｄｖａｎｃｅｄ  Ｔｅｃｈｎｏｌｏｇｙ  Ａｔｔａｃｈｍｅｎｔ）規格であって、前記ケース１１ａの外部に突出し、前記接続インターフェイス１２３ａの外部にはラッチ（Ｌａｔｃｈ）１２４ａを接続し、前記ラッチ１２４ａの表面には間隔を空けて１対の凸部１２４１ａを設けている。
【０００４】
図２に示すように、前記接続インターフェイス１２３ａはコネクタ２ａに差込むと電気的に接続され、また前記ラッチ１２４ａの凸部１２４１ａはコネクタ２ａの対応する孔２１ａに進入してコネクタ２ａに係止して、前記接続インターフェイス１２３ａをコネクタ２ａに位置決めして容易に外れなくする。
【０００５】
図３に示すように、ユーザーが接続インターフェイス１２３ａをコネクタ２ａから引き抜こうとする際、まず手でラッチ１２４ａを押えて凸部１２４１ａを孔２１ａから移動させ、上に向かって接続インターフェイス１２３ａをコネクタ２ａから引き抜くが、この操作の過程で、手がコネクタ２ａ付近の装置に干渉され易く、操作面で不便が生じている。
【０００６】
そこで、本考案者は上記の欠点が改善可能と考え、特に研究に専念すると共に、併せて学術理論を運用して、合理的設計で上記の欠点を効果的に改善した本考案を提案するものである。
【考案の概要】
【考案が解決しようとする課題】
【０００７】
以上の問題に鑑みて、本考案の主要な目的は、ユーザーが記憶装置をコネクタから引き抜こうとする際、手がコネクタ付近の装置に干渉されることなく、操作面で便利な不揮発性メモリを提供することである。
【課題を解決するための手段】
【０００８】
上記の目的を達成するため、本考案は外表面にスライド溝を凹設するケースであって、前記スライド溝内にスイッチをスライドさせるものと、前記ケース内に固定した回路基板であって、前記回路基板は接続インターフェイス、制御ユニット及び不揮発性メモリユニットと電気的に接続され、前記接続インターフェイスはシリアルアドバンスド・テクノロジー・アタッチメント規格で、前記ケースの外部に突出し、前記制御ユニットは前記接続インターフェイス及び前記不揮発性メモリユニットと電気的に接続されるものと、前記接続インターフェイスの外部に接続され、且つ一部が宙に浮いた状態を呈したラッチと、前記ケース内に設けた連動部材であって、前記連動部材の一端が前記スイッチに固定され、他端が選択的に前記ラッチの宙に浮いた部位を押えるものとを含む不揮発性メモリを提供する。
【考案の効果】
【０００９】
本考案は以下の有益な効果を有する。ユーザーの手で直接ラッチを押える必要がなく、スイッチを操作しさえすれば、ラッチの動作を制御することができ、スイッチと前記記憶装置を差し込んだコネクタとは距離があることから、記憶装置をコネクタから引き抜く際、コネクタ付近の装置に干渉されずにすみ、比較的大きな操作スペースを有するので、操作面で便利で使いやすい。
【図面の簡単な説明】
【００１０】
【図１】従来の不揮発性メモリの斜視図である。
【図２】従来の不揮発性メモリをコネクタに係止した斜視概略図である。
【図３】従来の不揮発性メモリをコネクタから引き抜いた斜視概略図である。
【図４】本考案の不揮発性メモリの斜視図である。
【図５】本考案の図４の上面の透視図である。
【図６】本考案の図４の右側面の透視図である。
【図７】本考案の不揮発性メモリの別の状態の上面の透視図である。
【図８】本考案の不揮発性メモリの別の状態の右側面の透視図である。
【図９】本考案の不揮発性メモリの実施例２の斜視図である。
【図１０】本考案の不揮発性メモリの実施例２の右側面の透視図である。
【図１１】本考案の不揮発性メモリの実施例２の別の状態の右側面の透視図である。
【考案を実施するための形態】
【００１１】
図４、図５に示すように、本考案はケース１、回路基板２、ラッチ３及び連動部材４を含む不揮発性メモリを提供する。前記回路基板２は前記ケース１内に固定され、前記回路基板２は接続インターフェイス２１、制御ユニット２２及び不揮発性メモリユニット２３と電気的に接続され、前記接続インターフェイス２１はシリアルアドバンスド・テクノロジー・アタッチメント規格であって、且つ前記ケース１の後端面外に突出し、前記接続インターフェイス２１はこれに対応するコネクタに差込むもので、不揮発性メモリユニット２３は１つ又は多数のフラッシュメモリチップで構成される。
【００１２】
前記制御ユニット２２は前記不揮発性メモリユニット２３及び前記接続インターフェイス２１と電気的に接続され、ユーザーが前記不揮発性メモリユニットの接続インターフェイス２１をこれに対応するコネクタに差込むと、前記制御ユニット２２は前記接続インターフェイス２１を通じてＣＰＵの書き込み命令、読み出し命令又は削除命令を受信すると共に、書き込み命令、読み出し命令又は削除命令に基づいて電子データを前記不揮発性メモリユニット２３に書き込み、又は電子データを前記不揮発性メモリユニット２３から読み出し若しくは削除する。
【００１３】
前記ラッチ３の一端は前記接続インターフェイス２１の外部に固定され、一部は宙に浮いた状態を呈し、前記ラッチ３の宙に浮いた部位と接続インターフェイス２１の上表面とは距離があり、前記ラッチ３の上表面に間隔を空けて１対の凸部３１を凸設し、前記１対の凸部３１の作用はコネクタに係止するためのものであり、前記接続インターフェイス２１をコネクタ内に位置決めして容易に外れなくする。
【００１４】
図４から図６に示すように、前記ケース１の前端面にはＸ軸方向に沿って第１スライド溝１１が凹設され、前記第１スライド溝１１内にスイッチ１２をスライドさせる。前記連動部材４は前記ケース１の内部に接続されて半円形の基部４１とシャフト４２を含み、前記基部４１は前記スイッチ１２の内側面に固定されて、前記基部４１の上端面には弧状の第２スライド溝４１１が設けられ、前記シャフト４２は滑動して前記第２スライド溝４１１内に接続され、スイッチ１２が第１スライド溝１１の左端にあることから、シャフト４２の一端は第２スライド溝４１１の左端に位置し、シャフト４２の他端はラッチ３とはＹ軸方向に距離を置くので、前記シャフト４２はラッチ３を押圧しない。
【００１５】
図７、図８に示すように、ユーザーが前記スイッチ１２をＸ軸の負方向に移動すると、スイッチ１２が基部４１をＸ軸の負方向に移動させ、シャフト４２全体がＹ軸の負方向に移動して、シャフト４２の一端は前記第２スライド溝４１１の右端に移動し、シャフト４２の他端はＹ軸の負方向に移動してラッチ３の上を押さえ、ラッチ３はシャフト４２に押圧されて、Ｚ軸の負方向に移動することによってラッチ３の動作を制御する。
【００１６】
図９、図１０に示すのは本考案の実施例２であり、前記ケース１の上面にはＹ軸方向に沿って前記第１スライド溝１１が凹設され、前記第１スライド溝１１内に前記スイッチ１２をスライドさせ、前記連動部材４は基部４１を省略して前記シャフト４２のみを残し、シャフト４２の一端は前記スイッチ１２の内側面に固定され、シャフト４２の他端はラッチ３とはＹ軸方向に距離を置くので、前記シャフト４２はラッチ３の上を押えない。図１１に示すように、ユーザーが前記スイッチ１２をＹ軸の負方向に移動すると、前記スイッチ１２がシャフト４２をＹ軸の負方向に移動させ、シャフト４２がラッチ３上を押え、ラッチ３はシャフト４２に押圧されてＺ軸の負方向に移動することによって、ラッチ３の動作を制御する。
【００１７】
本考案の不揮発性メモリはユーザーの手で直接接続インターフェイス２１上のラッチ３を押える必要がないので、スイッチ１２を操作しさえすれば、ラッチ３の動作を制御することができ、スイッチ１２と前記記憶装置を差し込んだコネクタとは距離があることから、記憶装置をコネクタから引き抜く際、コネクタ付近の装置に干渉されずにすみ、比較的大きな操作スペースを有するので、操作面で便利で使いやすい。
【００１８】
以上の記載内容は本考案のうちの好ましい実施例に過ぎず、本考案の実施範囲を限定するものではなく、本実用新案登録請求の範囲で行った均等な変更若しくは修飾は全て等しく本実用新案登録請求の範囲内に含まれるものとする。
【符号の説明】
【００１９】
（従来例）
１ａ        不揮発性メモリ
１１ａ      ケース
１２ａ      回路基板
１２１ａ    フラッシュメモリ
１２２ａ    制御チップ
１２３ａ    接続インターフェイス
１２４ａ    ラッチ
１２４１ａ  凸部
２ａ        コネクタ
２１ａ      孔
（実施例）
１      ケース
１１    第１スライド溝
１２    スイッチ
２      回路基板
２１    接続インターフェイス
２２    制御ユニット
２３    不揮発性メモリユニット
３      ラッチ
３１    凸部
４      連動部材
４１    基部
４１１  第２スライド溝
４２    シャフト
【図１】
0003154906.tif 000003
【図２】
0003154906.tif 000004
【図３】
0003154906.tif 000005
【図４】
0003154906.tif 000006
【図５】
0003154906.tif 000007
【図６】
0003154906.tif 000008
【図７】
0003154906.tif 000009
【図８】
0003154906.tif 000010
【図９】
0003154906.tif 000011
【図１０】
0003154906.tif 000012
【図１１】
0003154906.tif 000013